(57)【要約】  筐体（６１０）は、回転軸心を中心として回転する発熱体（３６０）を収容する。筐体（６１０）は、回転軸心に平行である左側壁部（６１０Ｌ）及び右側壁部（６１０Ｒ）に、当該左側壁部（６１０Ｌ）及び右側壁部（６１０Ｒ）を歪曲させることにより形成された波形構造部（６１０ａ）を有する。
2016147226.tif 000002
【特許請求の範囲】
【請求項１】
回転軸心を中心として回転する発熱体を収容する筐体であって、
前記回転軸心に平行である壁部に、当該壁部を歪曲させることにより形成された波形構造部を有する、
筐体。
【請求項２】
前記波形構造部は、前記壁部の一部の領域にのみ設けられている、
請求項１記載の筐体。
【請求項３】
前記波形構造部は、前記壁部のうち、前記回転体の周縁に対する接線を前記壁部側に延長した線と、前記壁部の基準面とがなす角度が、所定角度以上となる領域に設けられている、
請求項２記載の筐体。
【請求項４】
前記波形構造部の波形が正弦波状波形である、
請求項１から請求項３のいずれか１項に記載の筐体。
【請求項５】
前記波形構造部の波形が矩形波形である、
請求項１から請求項３のいずれか１項に記載の筐体。
【請求項６】
前記波形構造部の波形が台形波形である、
請求項１から請求項３のいずれか１項に記載の筐体。
【請求項７】
前記発熱体は、受光した光を他の波長の光に変換して出力する蛍光体ホイールである、請求項１から請求項６のいずれか１項に記載の筐体。
【請求項８】
筐体と蛍光体ホイールとを有する蛍光体ホイール装置であって、
筐体は、回転軸心を中心として回転する発熱体を収容し、回転軸心に平行である壁部に、当該壁部を歪曲させることにより形成された波形構造部を有し、
前記発熱体は、受光した光を他の波長の光に変換して出力する蛍光体ホイールである、
蛍光体ホイール装置。
【請求項９】
光源から出力された光を蛍光体ホイール装置を介して出力する投影装置であって、
蛍光体ホイール装置は、筐体と蛍光体ホイールとを有し、
筐体は、回転軸心を中心として回転する発熱体を収容し、回転軸心に平行である壁部に、当該壁部を歪曲させることにより形成された波形構造部を有し、
前記発熱体は、受光した光を他の波長の光に変換して出力する蛍光体ホイールである、
投影装置。
【発明の詳細な説明】
【技術分野】
【０００１】
本開示は、回転する発熱体を収容する筐体、回転する発熱体としての蛍光体ホイールを筐体に収容して構成される蛍光体ホイール装置、及び蛍光体ホイール装置を備えた投影装置に関する。
【背景技術】
【０００２】
特許文献１は、回転光学フィルタ装置（蛍光体ホイール装置）を有する照明光学系を開示している。また、特許文献１は、筐体の内部で光学フィルタ（蛍光体ホイール）から発生した熱の放熱のため、筐体に開口を設けるとともに、筐体内で発生した熱を、開口を介してファンにより外部に放出する構成を開示している。
【先行技術文献】
【特許文献】
【０００３】
【特許文献１】特開２００３−１５６７９６号公報
【発明の概要】
【０００４】
本開示の筐体は、回転軸心を中心として回転する発熱体を収容する。筐体は、回転軸心に平行である壁部に、当該壁部を歪曲させることにより形成された波形構造部を有する。
【０００５】
この構成により、筐体内への塵芥の侵入及び騒音の発生を抑制しつつ、回転する発熱体から発生する熱を放熱可能な筐体を提供することができる。また、回転する発熱体としての蛍光体ホイールを筐体に収容して構成される蛍光体ホイール装置、及び蛍光体ホイール装置を備えた投影装置を提供する。
【図面の簡単な説明】
【０００６】
【図１】図１は、実施の形態１のプロジェクタ装置の光学的構成を示すブロック図である。
【図２】図２は、実施の形態１の蛍光体ホイール装置の構造を示す、一部を透視した斜視図である。
【図３Ａ】図３Ａは、実施の形態１の蛍光体ホイール装置の一部を透視した正面図である。
【図３Ｂ】図３Ｂは、図３ＡのＡ−Ａ線による断面図である。
【図４】図４は、実施の形態２の蛍光体ホイール装置の一部を透視した正面図である。
【図５】図５は、他の実施の形態の蛍光体ホイール装置の一部を透視した正面図である。
【図６】図６は、他の実施の形態の蛍光体ホイール装置の一部を透視した正面図である。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、出願人は、当業者が本開示を十分に理解するために添付図面および以下の説明を提供するのであって、これらによって請求の範囲に記載の主題を限定することを意図するものではない。
【０００９】
（実施の形態１）
本開示にかかる筐体、蛍光体ホイール装置、及び投影装置の具体的な実施例として、プロジェクタ装置１００を説明する。
【００１０】
［１−１．構成］
［１−１−１．プロジェクタ装置の構成及び動作］
プロジェクタ装置１００の構成及び動作について説明する。
【００１１】
図１は、プロジェクタ装置１００の光学的構成を示すブロック図である。図１に示すように、光源部３００は、投影画像を生成するために必要な光を、画像生成部４００に対して供給する。画像生成部４００は生成した映像を投影光学系５００に供給する。投影光学系５００は、画像生成部４００から供給された映像に対してフォーカシング、ズーミング等の光学的変換を行う。投影光学系５００は、プロジェクタ装置１００の筐体１００Ａに形成された開口部１０１と対向しており、開口部１０１から映像が投影される。また、プロジェクタ装置１００内の各部の動作は制御部２１０により制御される。
【００１２】
制御部２１０は、例えば、プログラムが格納された不揮発性メモリ、プログラムを実行するための一時的な記憶領域である揮発性メモリ、入出力ポート、プログラムを実行するプロセッサなどを有する。制御部２１０は、画像生成部４００に投影する映像信号を供給する。また、制御部２１０は、投影光学系５００の光学部材の位置などを制御する。なお、図１では、制御部２１０は破線にて図示されている。これは、制御部２１０が配置される箇所などは限定されず、適宜設定されてよいことを示す。
【００１３】
光源部３００の構成について説明する。図１に示すように、光源部３００は、半導体レーザー３１０、ダイクロイックミラー３３０、λ／４板３４０、蛍光体ホイール３６０などを備えている。
【００１４】
半導体レーザー３１０は、例えば、波長４４０ｎｍ〜４５５ｎｍのＳ偏光の青色光を発光する固体光源である。半導体レーザー３１０から出射されたＳ偏光の青色光は、導光光学系３２０を介してダイクロイックミラー３３０に入射される。
【００１５】
ダイクロイックミラー３３０は、例えば、波長４４０ｎｍ〜４５５ｎｍのＳ偏光の青色光に対しては９８％以上の高い反射率を有する一方、波長４４０ｎｍ〜４５５ｎｍのＰ偏光の青色光及び、波長４９０ｎｍ〜７００ｎｍの緑色光〜赤色光に対しては偏光状態に関わらず９５％以上の高い透過率を有する光学素子である。ダイクロイックミラー３３０は、半導体レーザー３１０から出射されたＳ偏光の青色光を、λ／４板３４０の方向に反射する。
【００１６】
λ／４板３４０は、直線偏光を円偏光に変換又は、円偏光を直線偏光に変換する偏光素子である。λ／４板３４０は、ダイクロイックミラー３３０と蛍光体ホイール３６０との間に配置される。λ／４板３４０に入射したＳ偏光の青色光は、円偏光の青色光に変換された後、レンズ３５０を介して蛍光体ホイール３６０に照射される。
【００１７】
蛍光体ホイール３６０は、高速回転が可能なように構成されたアルミ平板である。蛍光体ホイール３６０の表面には、拡散反射面の領域であるＢ領域と、緑色光を発光する蛍光体が塗付されたＧ領域と、赤色光を発光する蛍光体が塗付されたＲ領域とが複数形成されている。蛍光体ホイール３６０のＢ領域に照射された円偏光の青色光は拡散反射されて、円偏光の青色光として再びλ／４板３４０に入射する。λ／４板３４０に入射した円偏光の青色光は、Ｐ偏光の青色光に変換された後、再びダイクロイックミラー３３０に入射する。このときダイクロイックミラー３３０に入射した青色光は、Ｐ偏光であるためダイクロイックミラー３３０を透過して、導光光学系３７０を介して画像生成部４００に入射する。
【００１８】
蛍光体ホイール３６０のＧ領域に照射された青色光は、Ｇ領域上に塗付された蛍光体を励起して緑色光を発光させる。Ｇ領域上から発光された緑色光は、ダイクロイックミラー３３０に入射する。このときダイクロイックミラー３３０に入射した緑色光は、ダイクロイックミラー３３０を透過して、導光光学系３７０を介して画像生成部４００に入射する。同様に、蛍光体ホイール３６０のＲ領域に照射された青色光は、Ｒ領域上に塗付された蛍光体を励起して赤色光を発光させる。Ｒ領域上から発光された赤色光は、ダイクロイックミラー３３０に入射する。このときダイクロイックミラー３３０に入射した赤色光は、ダイクロイックミラー３３０を透過して、導光光学系３７０を介して画像生成部４００に入射する。
【００１９】
蛍光体ホイール３６０は高速回転しているため、光源部３００から画像生成部４００へは、青色光、緑色光、赤色光が時分割されて出射する。
【００２０】
画像生成部４００は、制御部２１０から供給される映像信号に応じた投影画像を生成する。画像生成部４００は、ＤＭＤ（Ｄｉｇｉｔａｌ−Ｍｉｒｒｏｒ−Ｄｅｖｉｃｅ）４２０などを備えている。ＤＭＤ４２０は、多数のマイクロミラーを平面に配列した表示素子である。ＤＭＤ４２０は、制御部２１０から供給される映像信号に応じて、配列したマイクロミラーのそれぞれを偏向させて、入射する光を空間的に変調させる。ＤＭＤ４２０は、導光光学系４１０を介して、時分割に出射される青色光、緑色光、赤色光を順に繰り返し受光する。ＤＭＤ４２０は、それぞれの色の光が出射されるタイミングに同期して、マイクロミラーのそれぞれを偏向させる。これにより、画像生成部４００は、映像信号に応じた投影画像を生成する。ＤＭＤ４２０は、映像信号に応じて、投影光学系５００に進行させる光と、投影光学系５００の有効範囲外へと進行させる光とにマイクロミラーを偏向させる。これにより、画像生成部４００は、生成した投影画像を、投影光学系５００に対して供給することができる。
【００２１】
投影光学系５００は、ズームレンズ５１０やフォーカスレンズ５２０などの光学部材を備える。投影光学系５００は、画像生成部４００から進行してきた光を拡大して投影面へ投影する。制御部２１０は、ズームレンズ５１０の位置を調整することで、所望のズーム値になるよう投影対象に対して投影領域を制御できる。制御部２１０は、ズーム拡大率を大きくすることにより、投影面上への投影映像を大きくすることができる。このとき、制御部２１０は、ズームレンズ５１０の位置を画角が広くなる（ワイド側）方向に移動させて、投影領域を広くする。一方、制御部２１０は、ズーム拡大率を小さくすることにより、投影面上への投影映像を小さくすることができる。このとき、制御部２１０は、ズームレンズ５１０の位置を画角が狭くなる（テレ側）方向へ移動させて、投影領域を狭くする。また、制御部２１０は、ズームレンズ５１０の移動に追従するよう、所定のズームトラッキングデータに基づきフォーカスレンズ５２０の位置を調整することで、投影映像のフォーカスを合わせることができる。
【００２２】
［１−１−２．蛍光体ホイール装置の構成］
蛍光体ホイール３６０は、筐体に収容されることにより、蛍光体ホイール装置として構成されている。以下、蛍光体ホイール装置の構成について説明する。図２は、実施形態１の蛍光体ホイール装置の構造を示す、一部を透視した斜視図である。図３Ａは実施形態１の蛍光体ホイール装置の一部を透視した正面図である。図３Ｂは図３ＡのＡ−Ａ線による断面図である。なお、図２、図３Ａは、後述する筐体の前壁部を透視した状態で示している。
【００２３】
蛍光体ホイール装置６００は、蛍光体ホイール３６０と、蛍光体ホイール３６０を回転させるモータ６２０と、蛍光体ホイール３６０及びモータ６２０を収容する筐体６１０とを有する。
【００２４】
筐体６１０は、上壁部６１０Ｕ、下壁部６１０Ｄ、前壁部６１０Ｆ、後壁部６１０Ｂ、左側壁部６１０Ｌ、右側壁部６１０Ｒを有する６面体である。上壁部６１０Ｕと下壁部６１０Ｄが対向し、前壁部６１０Ｆと後壁部６１０Ｂが対向し、左側壁部６１０Ｌと右側壁部６１０Ｒが対向する。なお、本実施形態の説明においては、便宜上、図面における「上」、「下」、「前」、「後」、「左」、「右」に合わせて各壁部の名称を設定しているが、ここでの「上」、「下」、「前」、「後」、「左」、「右」は、蛍光体ホイール装置６００の使用時等の向きを限定するものではない。
【００２５】
筐体６１０は、蛍光体ホイール３６０を収容した状態で密閉されている。筐体６１０の内部空間には気体が封入されている。なお、筐体６１０の、蛍光体ホイール３６０の主面（表面）に平行な壁部である前壁部６１０Ｆの一部には、蛍光体ホイール３６０に対して筐体６１０の外部から青色光を照射可能なように、ガラス窓（不図示）が形成されている。
【００２６】
モータ６２０は筐体６１０の内部において、筐体６１０の上記壁部のいずれかに固定される。モータ６２０の回転軸心ＡＸは、前壁部６１０Ｆ（後壁部６１０Ｂ）に垂直な方向に延びる。蛍光体ホイール３６０は、その主面（表面）に垂直な方向がモータ６２０の回転軸心ＡＸと平行となるように、モータ６２０の回転軸３６１に固定される。これにより、蛍光体ホイール３６０は、前壁部６１０Ｆ（後壁部６１０Ｂ）に垂直な回転軸心ＡＸを中心として回転方向Ｄｒに回転可能なように筐体６１０に収容される。
【００２７】
左側壁部６１０Ｌ及び右側壁部６１０Ｒには、それぞれ、当該左側壁部６１０Ｌ及び右側壁部６１０Ｒを周期的に歪曲させることにより形成された波形構造部６１０ａが設けられている。左側壁部６１０Ｌ及び右側壁部６１０Ｒは、回転軸心ＡＸに平行である壁部である。波形構造部６１０ａは、回転する蛍光体ホイール３６０から発生する熱を筐体６１０の外部の気体との間で熱交換を行うための熱交換部である。
【００２８】
波形構造部６１０ａの波形は正弦波状波形である。より詳しくは、波形構造部６１０ａは、筐体６１０を回転軸心ＡＸに平行な方向（本実施形態では前後方向でもある）から見たときの波形が正弦波状波形となっている。また、異なる言い方をすれば、蛍光体ホイール３６０の主面（表面）に平行な面による筐体６１０の左側壁部６１０Ｌ及び右側壁部６１０Ｒの断面の形状が正弦波状波形となっている。
【００２９】
筐体６１０は、アルミニウムにより形成されている。なお、筐体６１０は、アルミニウム以外の金属、例えば銅により形成されてもよい。なお、波形構造部６１０ａは、左側壁部６１０Ｌ及び右側壁部６１０Ｒの一部分を構成する部材として別部材により構成してもよい。この場合、波形構造部６１０ａのみを金属により構成し、筐体６１０におけるそれ以外の部分は、金属以外の材料により構成してもよい。また、蛍光体ホイール装置６００の正常動作が十分可能な放熱性が得られる場合、波形構造部６１０ａについても金属以外の材料により構成してもよい。
【００３０】
筐体６１０の外部には、左側壁部６１０Ｌ及び右側壁部６１０Ｒの近傍において、波形構造部６１０ａから外部に放射される熱を拡散させるファンを設けてもよい。ファンの設置の要否は、放射される熱量等に応じて決定すればよい。
【００３１】
［１−２．作用］
図３Ａ、図３Ｂを参照して本実施形態の蛍光体ホイール装置６００の作用を説明する。蛍光体ホイール３６０が回転軸心ＡＸを中心として回転すると、回転軸心ＡＸを中心とする旋回流（風）Ｗが発生する。蛍光体ホイール３６０は、例えば１００００回転／分の回転速度で回転する。これにより、旋回流Ｗの風速は、例えば２０ｍ／秒〜３０ｍ／秒という非常に速い風速となる。発生した風は主に、筐体６１０の、回転軸心ＡＸに平行である上壁部６１０Ｕ、下壁部６１０Ｄ、左側壁部６１０Ｌ、右側壁部６１０Ｒに吹き付けられる。その場合に、本実施形態では、左側壁部６１０Ｌ及び右側壁部６１０Ｒには、当該左側壁部６１０Ｌ及び右側壁部６１０Ｒを歪曲させることにより形成された波形構造部６１０ａが設けられている。そのため、左側壁部６１０Ｌ及び右側壁部６１０Ｒに吹き付けられた風は、波形構造部６１０ａの内面に沿って流れる。また、波形構造部６１０ａが設けられていない場合よりも、左側壁部６１０Ｌ及び右側壁部６１０Ｒの内面の面積が増加するので、筐体６１０内部で風が当たる面積が増加する。これにより、筐体６１０の内部と筐体６１０の外部空間との間の熱交換が促進される。そのため、本実施形態では、筐体６１０内にファンを設けずに筐体６１０を密閉構造としている。したがって、筐体６１０内への塵芥の侵入や騒音の発生を抑制しつつ、蛍光体ホイール３６０から発生する熱を外部に良好に放熱することができる。
【００３２】
また、本実施形態では、波形構造部６１０ａの波形が正弦波状波形であるので、波形構造部６１０ａの内面に沿って旋回流Ｗが滑らかに流れることとなる。そのため、速い風速を維持しつつ旋回流Ｗが流れることとなる。したがって、波形構造部６１０ａを介して筐体６１０の内部と筐体６１０の外部空間との間の熱交換がより効果的に行われることとなる。
【００３３】
ここで、比較例について説明する。比較例として、例えば、筐体を実施形態同様に六面体とする一方で左側壁部及び右側壁部については平坦とし、左側壁部及び右側壁部の外面に、冷却フィンを有するヒートシンクを取り付けた構成が考えられる。この場合、左側壁部及び右側壁部の内面の面積は、本実施形態のようには増加しない。つまり、ヒートシンクを設けた冷却構造では、旋回流（風）Ｗが当たる面積が増加しない。また、筐体の内部空間の体積が増加することもない。そのため、比較例は、本実施形態のような熱交換効果が得られない。
【００３４】
［１−３．効果等］
本実施形態の筐体６１０は、回転軸心ＡＸを中心として回転する蛍光体ホイール３６０（発熱体）を収容する筐体である。
【００３５】
筐体６１０は、回転軸心ＡＸに平行である左側壁部６１０Ｌ及び右側壁部６１０Ｒに、当該左側壁部６１０Ｌ及び右側壁部６１０Ｒを歪曲させることにより形成された波形構造部６１０ａを有する。
【００３６】
これにより、筐体６１０内への塵芥の侵入及び騒音の発生を抑制しつつ、回転軸心ＡＸを中心として回転する蛍光体ホイール３６０から発生する熱を外部に良好に放熱できる。
【００３７】
本実施形態において、波形構造部６１０ａの波形が正弦波状波形である。
【００３８】
これにより、波形構造部６１０ａの内面に沿って旋回流Ｗが滑らかに流れることとなる。そのため、波形構造部６１０ａを介して筐体６１０の内部と筐体６１０の外部空間との間の熱交換がより効果的に行われることとなる。
【００３９】
本実施形態において、発熱体は、受光した光を他の波長の光に変換して出力する蛍光体ホイール３６０である。
【００４０】
これにより、受光した光を他の波長の光に変換して出力する際に発熱する蛍光体ホイール３６０の温度上昇を抑制できる。
【００４１】
本実施形態の蛍光体ホイール装置６００は、筐体６１０と蛍光体ホイール３６０とを有する。
【００４２】
これにより、蛍光体ホイール装置６００の温度上昇を抑制できる。
【００４３】
本実施形態のプロジェクタ装置１００（投影装置）は、光源から出力された光を蛍光体ホイール装置６００を介して出力する。
【００４４】
これにより、プロジェクタ装置１００の温度上昇を抑制できる。
【００４５】
（実施形態２）
実施形態２について説明する。図４は、実施形態２の蛍光体ホイール装置の一部を透視した正面図である。
【００４６】
本実施形態では、波形構造部６１０ａは、左側壁部６１０Ｌ及び右側壁部６１０Ｒの一部にのみ設けられている。具体的に、波形構造部６１０ａは、左側壁部６１０Ｌの上部側及び右側壁部６１０Ｒの下部側にのみ設けられている。より具体的に、左側壁部６１０Ｌの波形構造部６１０ａは、回転体の周縁に接する接線を左側壁部６１０Ｌ側に延長した線Ｌ１と、左側壁部６１０Ｌの基準面６１０Ｌｘとがなす角度が、所定角度Ｄｘ以上となる領域Ｒ１に設けられている。また、右側壁部６１０Ｒの波形構造部６１０ａは、回転体の周縁に接する接線を右側壁部６１０Ｒ側に延長した線Ｌ２と、右側壁部６１０Ｒの基準面６１０Ｒｘとがなす角度が、所定角度Ｄｘ以上となる領域Ｒ２に設けられている。左側壁部６１０Ｌの上部側及び右側壁部６１０Ｒの下部側は、左側壁部６１０Ｌの上部側及び右側壁部６１０Ｒの下部側のうち蛍光体ホイール３６０のＤｒ方向の回転により生じる旋回流Ｗが正面からあるいはほぼ正面から（所定角度Ｄｘ以上の角度で）当たる領域である。
【００４７】
これにより、波形構造部６１０ａを設けることによる外部への突出部分を少なくできる。そのため、一定の冷却性能を維持しつつ、蛍光体ホイール装置の配置スペースを少なくできる。
【００４８】
（他の実施の形態）
以上のように、本出願において開示する技術の例示として、実施の形態１および２を説明した。しかしながら、本開示における技術は、これに限定されず、適宜、変更、置き換え、付加、省略などを行った実施の形態にも適用可能である。また、上記実施の形態１および２で説明した各構成要素を組み合わせて、新たな実施の形態とすることも可能である。
【００４９】
そこで、以下、他の実施の形態を例示する。
【００５０】
上記各実施形態では、波形構造部６１０ａの波形は正弦波状波形である。しかし、本開示において、波形構造部６１０ａの波形は、図５に示すように、矩形波形であってもよい。あるいは、本開示において、波形構造部６１０ａの波形は、図６に示すように、台形波形であってもよい。これらの場合において、実施形態２のように、波形構造部６１０ａは、左側壁部６１０Ｌの上部側及び右側壁部６１０Ｒの下部側にのみ設けられてもよい。
【００５１】
また、本開示において、波形構造部６１０ａは、筐体６１０を上下方向に平行な方向から見たときの波形が、正弦波状波形、矩形波形または台形波形であってもよい。
【００５２】
また、本開示において、波形構造部６１０ａの波形は、正弦波状波形、矩形波形または台形波形以外の波形であってもよい。また、波形構造部６１０ａの波形は、正弦波状波形、矩形波形、台形波形、またはこれら以外の波形の組み合わせであってもよい。
【００５３】
上記実施形態２では、波形構造部６１０ａは、左側壁部６１０Ｌ及び右側壁部６１０Ｒの一部のみ、具体的に、左側壁部６１０Ｌの上部側及び右側壁部６１０Ｒの下部側にのみ設けられている。しかし、本開示において、上記一部は、左側壁部６１０Ｌ及び右側壁部６１０Ｒの上下方向の中央部分であってもよい。この場合においても、蛍光体ホイール３６０のＤｒ方向の回転により生じる旋回流Ｗが波形構造部６１０ａに当たることにより、波形構造部６１０ａによる冷却効果が奏される。また、蛍光体ホイール装置の配置スペースを少なくできる。
【００５４】
上記各実施形態では、波形構造部６１０ａは、左側壁部６１０Ｌと右側壁部６１０Ｒとにのみ設けられている。しかし、本開示において、波形構造部６１０ａは、さらに上壁部６１０Ｕと下壁部６１０Ｄとに設けられてもよい。これにより、冷却性能がより向上する。
【００５５】
上記各実施形態では、筐体６１０は、上壁部６１０Ｕ、下壁部６１０Ｄ、前壁部６１０Ｆ、後壁部６１０Ｂ、左側壁部６１０Ｌ、右側壁部６１０Ｒを有する６面体である。しかし、本開示において、筐体は、六面体に限定されず、それ以上の面数を有する他面体であってもよい。その場合においても、上記各実施形態同様、回転軸心に平行である壁部に、当該壁部を歪曲させることにより形成された波形構造部を設ければよい。
【００５６】
上記各実施形態では、発熱体は蛍光体ホイール３６０である。しかし、本開示において、発熱体は、回転軸心ＡＸを中心として回転する発熱体であればどのようなものでもよい。
【００５７】
以上のように、本開示における技術の例示として、実施の形態を説明した。そのために、添付図面および詳細な説明を提供した。
【００５８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５９】
また、上述の実施の形態は、本開示における技術を例示するためのものであるから、請求の範囲またはその均等の範囲において種々の変更、置き換え、付加、省略などを行うことができる。
【産業上の利用可能性】
【００６０】
本開示は、蛍光体ホイール等の回転する発熱体を有する装置において広く利用可能である。
【符号の説明】
【００６１】
１００  プロジェクタ装置
６１０  筐体
２１０  制御部
３００  光源部
３６０  蛍光体ホイール
３６１  回転軸
４００  画像生成部
５００  投影光学系
６００  蛍光体ホイール装置
６１０  筐体
６１０ａ  波形構造部
６１０Ｌ  左側壁部
６１０Ｒ  右側壁部
６１０Ｕ  上壁部
６１０Ｄ  下壁部
６１０Ｆ  前壁部
６１０Ｂ  後壁部
６２０  モータ
ＡＸ  回転軸心
Ｄｒ  回転方向
Ｄｘ  所定角度
Ｒ１  領域
Ｒ２  領域
Ｗ  旋回流（風）
【図１】
2016147226.tif 000003
【図２】
2016147226.tif 000004
【図３Ａ】
2016147226.tif 000005
【図３Ｂ】
2016147226.tif 000006
【図４】
2016147226.tif 000007
【図５】
2016147226.tif 000008
【図６】
2016147226.tif 000009
【手続補正書】
【提出日】平成28年8月10日(2016.8.10)
【手続補正１】
【補正対象書類名】明細書
【補正対象項目名】全文
【補正方法】変更
【補正の内容】
【発明の詳細な説明】
【技術分野】
【０００１】
本開示は、回転する発熱体を収容する筐体、回転する発熱体としての蛍光体ホイールを筐体に収容して構成される蛍光体ホイール装置、及び蛍光体ホイール装置を備えた投影装置に関する。
【背景技術】
【０００２】
特許文献１は、回転光学フィルタ装置（蛍光体ホイール装置）を有する照明光学系を開示している。また、特許文献１は、筐体の内部で光学フィルタ（蛍光体ホイール）から発生した熱の放熱のため、筐体に開口を設けるとともに、筐体内で発生した熱を、開口を介してファンにより外部に放出する構成を開示している。
【先行技術文献】
【特許文献】
【０００３】
【特許文献１】特開２００３−１５６７９６号公報
【発明の概要】
【０００４】
本開示の筐体は、回転軸心を中心として回転する発熱体を収容する。筐体は、回転軸心に平行である壁部に、当該壁部を歪曲させることにより形成された波形構造部を有する。波形構造部は、壁部のうち、回転体の周縁に対する接線を壁部側に延長した線と、壁部の基準面とがなす角度が、所定角度以上となる領域に設けられている。
【０００５】
この構成により、筐体内への塵芥の侵入及び騒音の発生を抑制しつつ、回転する発熱体から発生する熱を放熱可能な筐体を提供することができる。また、回転する発熱体としての蛍光体ホイールを筐体に収容して構成される蛍光体ホイール装置、及び蛍光体ホイール装置を備えた投影装置を提供する。
【図面の簡単な説明】
【０００６】
【図１】図１は、実施の形態１のプロジェクタ装置の光学的構成を示すブロック図である。
【図２】図２は、実施の形態１の蛍光体ホイール装置の構造を示す、一部を透視した斜視図である。
【図３Ａ】図３Ａは、実施の形態１の蛍光体ホイール装置の一部を透視した正面図である。
【図３Ｂ】図３Ｂは、図３ＡのＡ−Ａ線による断面図である。
【図４】図４は、実施の形態２の蛍光体ホイール装置の一部を透視した正面図である。
【図５】図５は、他の実施の形態の蛍光体ホイール装置の一部を透視した正面図である。
【図６】図６は、他の実施の形態の蛍光体ホイール装置の一部を透視した正面図である。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、出願人は、当業者が本開示を十分に理解するために添付図面および以下の説明を提供するのであって、これらによって請求の範囲に記載の主題を限定することを意図するものではない。
【０００９】
（実施の形態１）
本開示にかかる筐体、蛍光体ホイール装置、及び投影装置の具体的な実施例として、プロジェクタ装置１００を説明する。
【００１０】
［１−１．構成］
［１−１−１．プロジェクタ装置の構成及び動作］
プロジェクタ装置１００の構成及び動作について説明する。
【００１１】
図１は、プロジェクタ装置１００の光学的構成を示すブロック図である。図１に示すように、光源部３００は、投影画像を生成するために必要な光を、画像生成部４００に対して供給する。画像生成部４００は生成した映像を投影光学系５００に供給する。投影光学系５００は、画像生成部４００から供給された映像に対してフォーカシング、ズーミング等の光学的変換を行う。投影光学系５００は、プロジェクタ装置１００の筐体１００Ａに形成された開口部１０１と対向しており、開口部１０１から映像が投影される。また、プロジェクタ装置１００内の各部の動作は制御部２１０により制御される。
【００１２】
制御部２１０は、例えば、プログラムが格納された不揮発性メモリ、プログラムを実行するための一時的な記憶領域である揮発性メモリ、入出力ポート、プログラムを実行するプロセッサなどを有する。制御部２１０は、画像生成部４００に投影する映像信号を供給する。また、制御部２１０は、投影光学系５００の光学部材の位置などを制御する。なお、図１では、制御部２１０は破線にて図示されている。これは、制御部２１０が配置される箇所などは限定されず、適宜設定されてよいことを示す。
【００１３】
光源部３００の構成について説明する。図１に示すように、光源部３００は、半導体レーザー３１０、ダイクロイックミラー３３０、λ／４板３４０、蛍光体ホイール３６０などを備えている。
【００１４】
半導体レーザー３１０は、例えば、波長４４０ｎｍ〜４５５ｎｍのＳ偏光の青色光を発光する固体光源である。半導体レーザー３１０から出射されたＳ偏光の青色光は、導光光学系３２０を介してダイクロイックミラー３３０に入射される。
【００１５】
ダイクロイックミラー３３０は、例えば、波長４４０ｎｍ〜４５５ｎｍのＳ偏光の青色光に対しては９８％以上の高い反射率を有する一方、波長４４０ｎｍ〜４５５ｎｍのＰ偏光の青色光及び、波長４９０ｎｍ〜７００ｎｍの緑色光〜赤色光に対しては偏光状態に関わらず９５％以上の高い透過率を有する光学素子である。ダイクロイックミラー３３０は、半導体レーザー３１０から出射されたＳ偏光の青色光を、λ／４板３４０の方向に反射する。
【００１６】
λ／４板３４０は、直線偏光を円偏光に変換又は、円偏光を直線偏光に変換する偏光素子である。λ／４板３４０は、ダイクロイックミラー３３０と蛍光体ホイール３６０との間に配置される。λ／４板３４０に入射したＳ偏光の青色光は、円偏光の青色光に変換された後、レンズ３５０を介して蛍光体ホイール３６０に照射される。
【００１７】
蛍光体ホイール３６０は、高速回転が可能なように構成されたアルミ平板である。蛍光体ホイール３６０の表面には、拡散反射面の領域であるＢ領域と、緑色光を発光する蛍光体が塗付されたＧ領域と、赤色光を発光する蛍光体が塗付されたＲ領域とが複数形成されている。蛍光体ホイール３６０のＢ領域に照射された円偏光の青色光は拡散反射されて、円偏光の青色光として再びλ／４板３４０に入射する。λ／４板３４０に入射した円偏光の青色光は、Ｐ偏光の青色光に変換された後、再びダイクロイックミラー３３０に入射する。このときダイクロイックミラー３３０に入射した青色光は、Ｐ偏光であるためダイクロイックミラー３３０を透過して、導光光学系３７０を介して画像生成部４００に入射する。
【００１８】
蛍光体ホイール３６０のＧ領域に照射された青色光は、Ｇ領域上に塗付された蛍光体を励起して緑色光を発光させる。Ｇ領域上から発光された緑色光は、ダイクロイックミラー３３０に入射する。このときダイクロイックミラー３３０に入射した緑色光は、ダイクロイックミラー３３０を透過して、導光光学系３７０を介して画像生成部４００に入射する。同様に、蛍光体ホイール３６０のＲ領域に照射された青色光は、Ｒ領域上に塗付された蛍光体を励起して赤色光を発光させる。Ｒ領域上から発光された赤色光は、ダイクロイックミラー３３０に入射する。このときダイクロイックミラー３３０に入射した赤色光は、ダイクロイックミラー３３０を透過して、導光光学系３７０を介して画像生成部４００に入射する。
【００１９】
蛍光体ホイール３６０は高速回転しているため、光源部３００から画像生成部４００へは、青色光、緑色光、赤色光が時分割されて出射する。
【００２０】
画像生成部４００は、制御部２１０から供給される映像信号に応じた投影画像を生成する。画像生成部４００は、ＤＭＤ（Ｄｉｇｉｔａｌ−Ｍｉｒｒｏｒ−Ｄｅｖｉｃｅ）４２０などを備えている。ＤＭＤ４２０は、多数のマイクロミラーを平面に配列した表示素子である。ＤＭＤ４２０は、制御部２１０から供給される映像信号に応じて、配列したマイクロミラーのそれぞれを偏向させて、入射する光を空間的に変調させる。ＤＭＤ４２０は、導光光学系４１０を介して、時分割に出射される青色光、緑色光、赤色光を順に繰り返し受光する。ＤＭＤ４２０は、それぞれの色の光が出射されるタイミングに同期して、マイクロミラーのそれぞれを偏向させる。これにより、画像生成部４００は、映像信号に応じた投影画像を生成する。ＤＭＤ４２０は、映像信号に応じて、投影光学系５００に進行させる光と、投影光学系５００の有効範囲外へと進行させる光とにマイクロミラーを偏向させる。これにより、画像生成部４００は、生成した投影画像を、投影光学系５００に対して供給することができる。
【００２１】
投影光学系５００は、ズームレンズ５１０やフォーカスレンズ５２０などの光学部材を備える。投影光学系５００は、画像生成部４００から進行してきた光を拡大して投影面へ投影する。制御部２１０は、ズームレンズ５１０の位置を調整することで、所望のズーム値になるよう投影対象に対して投影領域を制御できる。制御部２１０は、ズーム拡大率を大きくすることにより、投影面上への投影映像を大きくすることができる。このとき、制御部２１０は、ズームレンズ５１０の位置を画角が広くなる（ワイド側）方向に移動させて、投影領域を広くする。一方、制御部２１０は、ズーム拡大率を小さくすることにより、投影面上への投影映像を小さくすることができる。このとき、制御部２１０は、ズームレンズ５１０の位置を画角が狭くなる（テレ側）方向へ移動させて、投影領域を狭くする。また、制御部２１０は、ズームレンズ５１０の移動に追従するよう、所定のズームトラッキングデータに基づきフォーカスレンズ５２０の位置を調整することで、投影映像のフォーカスを合わせることができる。
【００２２】
［１−１−２．蛍光体ホイール装置の構成］
蛍光体ホイール３６０は、筐体に収容されることにより、蛍光体ホイール装置として構成されている。以下、蛍光体ホイール装置の構成について説明する。図２は、実施形態１の蛍光体ホイール装置の構造を示す、一部を透視した斜視図である。図３Ａは実施形態１の蛍光体ホイール装置の一部を透視した正面図である。図３Ｂは図３ＡのＡ−Ａ線による断面図である。なお、図２、図３Ａは、後述する筐体の前壁部を透視した状態で示している。
【００２３】
蛍光体ホイール装置６００は、蛍光体ホイール３６０と、蛍光体ホイール３６０を回転させるモータ６２０と、蛍光体ホイール３６０及びモータ６２０を収容する筐体６１０とを有する。
【００２４】
筐体６１０は、上壁部６１０Ｕ、下壁部６１０Ｄ、前壁部６１０Ｆ、後壁部６１０Ｂ、左側壁部６１０Ｌ、右側壁部６１０Ｒを有する６面体である。上壁部６１０Ｕと下壁部６１０Ｄが対向し、前壁部６１０Ｆと後壁部６１０Ｂが対向し、左側壁部６１０Ｌと右側壁部６１０Ｒが対向する。なお、本実施形態の説明においては、便宜上、図面における「上」、「下」、「前」、「後」、「左」、「右」に合わせて各壁部の名称を設定しているが、ここでの「上」、「下」、「前」、「後」、「左」、「右」は、蛍光体ホイール装置６００の使用時等の向きを限定するものではない。
【００２５】
筐体６１０は、蛍光体ホイール３６０を収容した状態で密閉されている。筐体６１０の内部空間には気体が封入されている。なお、筐体６１０の、蛍光体ホイール３６０の主面（表面）に平行な壁部である前壁部６１０Ｆの一部には、蛍光体ホイール３６０に対して筐体６１０の外部から青色光を照射可能なように、ガラス窓（不図示）が形成されている。
【００２６】
モータ６２０は筐体６１０の内部において、筐体６１０の上記壁部のいずれかに固定される。モータ６２０の回転軸心ＡＸは、前壁部６１０Ｆ（後壁部６１０Ｂ）に垂直な方向に延びる。蛍光体ホイール３６０は、その主面（表面）に垂直な方向がモータ６２０の回転軸心ＡＸと平行となるように、モータ６２０の回転軸３６１に固定される。これにより、蛍光体ホイール３６０は、前壁部６１０Ｆ（後壁部６１０Ｂ）に垂直な回転軸心ＡＸを中心として回転方向Ｄｒに回転可能なように筐体６１０に収容される。
【００２７】
左側壁部６１０Ｌ及び右側壁部６１０Ｒには、それぞれ、当該左側壁部６１０Ｌ及び右側壁部６１０Ｒを周期的に歪曲させることにより形成された波形構造部６１０ａが設けられている。左側壁部６１０Ｌ及び右側壁部６１０Ｒは、回転軸心ＡＸに平行である壁部である。波形構造部６１０ａは、回転する蛍光体ホイール３６０から発生する熱を筐体６１０の外部の気体との間で熱交換を行うための熱交換部である。
【００２８】
波形構造部６１０ａの波形は正弦波状波形である。より詳しくは、波形構造部６１０ａは、筐体６１０を回転軸心ＡＸに平行な方向（本実施形態では前後方向でもある）から見たときの波形が正弦波状波形となっている。また、異なる言い方をすれば、蛍光体ホイール３６０の主面（表面）に平行な面による筐体６１０の左側壁部６１０Ｌ及び右側壁部６１０Ｒの断面の形状が正弦波状波形となっている。
【００２９】
筐体６１０は、アルミニウムにより形成されている。なお、筐体６１０は、アルミニウム以外の金属、例えば銅により形成されてもよい。なお、波形構造部６１０ａは、左側壁部６１０Ｌ及び右側壁部６１０Ｒの一部分を構成する部材として別部材により構成してもよい。この場合、波形構造部６１０ａのみを金属により構成し、筐体６１０におけるそれ以外の部分は、金属以外の材料により構成してもよい。また、蛍光体ホイール装置６００の正常動作が十分可能な放熱性が得られる場合、波形構造部６１０ａについても金属以外の材料により構成してもよい。
【００３０】
筐体６１０の外部には、左側壁部６１０Ｌ及び右側壁部６１０Ｒの近傍において、波形構造部６１０ａから外部に放射される熱を拡散させるファンを設けてもよい。ファンの設置の要否は、放射される熱量等に応じて決定すればよい。
【００３１】
［１−２．作用］
図３Ａ、図３Ｂを参照して本実施形態の蛍光体ホイール装置６００の作用を説明する。蛍光体ホイール３６０が回転軸心ＡＸを中心として回転すると、回転軸心ＡＸを中心とする旋回流（風）Ｗが発生する。蛍光体ホイール３６０は、例えば１００００回転／分の回転速度で回転する。これにより、旋回流Ｗの風速は、例えば２０ｍ／秒〜３０ｍ／秒という非常に速い風速となる。発生した風は主に、筐体６１０の、回転軸心ＡＸに平行である上壁部６１０Ｕ、下壁部６１０Ｄ、左側壁部６１０Ｌ、右側壁部６１０Ｒに吹き付けられる。その場合に、本実施形態では、左側壁部６１０Ｌ及び右側壁部６１０Ｒには、当該左側壁部６１０Ｌ及び右側壁部６１０Ｒを歪曲させることにより形成された波形構造部６１０ａが設けられている。そのため、左側壁部６１０Ｌ及び右側壁部６１０Ｒに吹き付けられた風は、波形構造部６１０ａの内面に沿って流れる。また、波形構造部６１０ａが設けられていない場合よりも、左側壁部６１０Ｌ及び右側壁部６１０Ｒの内面の面積が増加するので、筐体６１０内部で風が当たる面積が増加する。これにより、筐体６１０の内部と筐体６１０の外部空間との間の熱交換が促進される。そのため、本実施形態では、筐体６１０内にファンを設けずに筐体６１０を密閉構造としている。したがって、筐体６１０内への塵芥の侵入や騒音の発生を抑制しつつ、蛍光体ホイール３６０から発生する熱を外部に良好に放熱することができる。
【００３２】
また、本実施形態では、波形構造部６１０ａの波形が正弦波状波形であるので、波形構造部６１０ａの内面に沿って旋回流Ｗが滑らかに流れることとなる。そのため、速い風速を維持しつつ旋回流Ｗが流れることとなる。したがって、波形構造部６１０ａを介して筐体６１０の内部と筐体６１０の外部空間との間の熱交換がより効果的に行われることとなる。
【００３３】
ここで、比較例について説明する。比較例として、例えば、筐体を実施形態同様に六面体とする一方で左側壁部及び右側壁部については平坦とし、左側壁部及び右側壁部の外面に、冷却フィンを有するヒートシンクを取り付けた構成が考えられる。この場合、左側壁部及び右側壁部の内面の面積は、本実施形態のようには増加しない。つまり、ヒートシンクを設けた冷却構造では、旋回流（風）Ｗが当たる面積が増加しない。また、筐体の内部空間の体積が増加することもない。そのため、比較例は、本実施形態のような熱交換効果が得られない。
【００３４】
［１−３．効果等］
本実施形態の筐体６１０は、回転軸心ＡＸを中心として回転する蛍光体ホイール３６０（発熱体）を収容する筐体である。
【００３５】
筐体６１０は、回転軸心ＡＸに平行である左側壁部６１０Ｌ及び右側壁部６１０Ｒに、当該左側壁部６１０Ｌ及び右側壁部６１０Ｒを歪曲させることにより形成された波形構造部６１０ａを有する。
【００３６】
これにより、筐体６１０内への塵芥の侵入及び騒音の発生を抑制しつつ、回転軸心ＡＸを中心として回転する蛍光体ホイール３６０から発生する熱を外部に良好に放熱できる。
【００３７】
本実施形態において、波形構造部６１０ａの波形が正弦波状波形である。
【００３８】
これにより、波形構造部６１０ａの内面に沿って旋回流Ｗが滑らかに流れることとなる。そのため、波形構造部６１０ａを介して筐体６１０の内部と筐体６１０の外部空間との間の熱交換がより効果的に行われることとなる。
【００３９】
本実施形態において、発熱体は、受光した光を他の波長の光に変換して出力する蛍光体ホイール３６０である。
【００４０】
これにより、受光した光を他の波長の光に変換して出力する際に発熱する蛍光体ホイール３６０の温度上昇を抑制できる。
【００４１】
本実施形態の蛍光体ホイール装置６００は、筐体６１０と蛍光体ホイール３６０とを有する。
【００４２】
これにより、蛍光体ホイール装置６００の温度上昇を抑制できる。
【００４３】
本実施形態のプロジェクタ装置１００（投影装置）は、光源から出力された光を蛍光体ホイール装置６００を介して出力する。
【００４４】
これにより、プロジェクタ装置１００の温度上昇を抑制できる。
【００４５】
（実施形態２）
実施形態２について説明する。図４は、実施形態２の蛍光体ホイール装置の一部を透視した正面図である。
【００４６】
本実施形態では、波形構造部６１０ａは、左側壁部６１０Ｌ及び右側壁部６１０Ｒの一部にのみ設けられている。具体的に、波形構造部６１０ａは、左側壁部６１０Ｌの上部側及び右側壁部６１０Ｒの下部側にのみ設けられている。より具体的に、左側壁部６１０Ｌの波形構造部６１０ａは、回転体の周縁に接する接線を左側壁部６１０Ｌ側に延長した線Ｌ１と、左側壁部６１０Ｌの基準面６１０Ｌｘとがなす角度が、所定角度Ｄｘ以上となる領域Ｒ１に設けられている。また、右側壁部６１０Ｒの波形構造部６１０ａは、回転体の周縁に接する接線を右側壁部６１０Ｒ側に延長した線Ｌ２と、右側壁部６１０Ｒの基準面６１０Ｒｘとがなす角度が、所定角度Ｄｘ以上となる領域Ｒ２に設けられている。左側壁部６１０Ｌの上部側及び右側壁部６１０Ｒの下部側は、左側壁部６１０Ｌの上部側及び右側壁部６１０Ｒの下部側のうち蛍光体ホイール３６０のＤｒ方向の回転により生じる旋回流Ｗが正面からあるいはほぼ正面から（所定角度Ｄｘ以上の角度で）当たる領域である。
【００４７】
これにより、波形構造部６１０ａを設けることによる外部への突出部分を少なくできる。そのため、一定の冷却性能を維持しつつ、蛍光体ホイール装置の配置スペースを少なくできる。
【００４８】
（他の実施の形態）
以上のように、本出願において開示する技術の例示として、実施の形態１および２を説明した。しかしながら、本開示における技術は、これに限定されず、適宜、変更、置き換え、付加、省略などを行った実施の形態にも適用可能である。また、上記実施の形態１および２で説明した各構成要素を組み合わせて、新たな実施の形態とすることも可能である。
【００４９】
そこで、以下、他の実施の形態を例示する。
【００５０】
上記各実施形態では、波形構造部６１０ａの波形は正弦波状波形である。しかし、本開示において、波形構造部６１０ａの波形は、図５に示すように、矩形波形であってもよい。あるいは、本開示において、波形構造部６１０ａの波形は、図６に示すように、台形波形であってもよい。これらの場合において、実施形態２のように、波形構造部６１０ａは、左側壁部６１０Ｌの上部側及び右側壁部６１０Ｒの下部側にのみ設けられてもよい。
【００５１】
また、本開示において、波形構造部６１０ａは、筐体６１０を上下方向に平行な方向から見たときの波形が、正弦波状波形、矩形波形または台形波形であってもよい。
【００５２】
また、本開示において、波形構造部６１０ａの波形は、正弦波状波形、矩形波形または台形波形以外の波形であってもよい。また、波形構造部６１０ａの波形は、正弦波状波形、矩形波形、台形波形、またはこれら以外の波形の組み合わせであってもよい。
【００５３】
上記実施形態２では、波形構造部６１０ａは、左側壁部６１０Ｌ及び右側壁部６１０Ｒの一部のみ、具体的に、左側壁部６１０Ｌの上部側及び右側壁部６１０Ｒの下部側にのみ設けられている。しかし、本開示において、上記一部は、左側壁部６１０Ｌ及び右側壁部６１０Ｒの上下方向の中央部分であってもよい。この場合においても、蛍光体ホイール３６０のＤｒ方向の回転により生じる旋回流Ｗが波形構造部６１０ａに当たることにより、波形構造部６１０ａによる冷却効果が奏される。また、蛍光体ホイール装置の配置スペースを少なくできる。
【００５４】
上記各実施形態では、波形構造部６１０ａは、左側壁部６１０Ｌと右側壁部６１０Ｒとにのみ設けられている。しかし、本開示において、波形構造部６１０ａは、さらに上壁部６１０Ｕと下壁部６１０Ｄとに設けられてもよい。これにより、冷却性能がより向上する。
【００５５】
上記各実施形態では、筐体６１０は、上壁部６１０Ｕ、下壁部６１０Ｄ、前壁部６１０Ｆ、後壁部６１０Ｂ、左側壁部６１０Ｌ、右側壁部６１０Ｒを有する６面体である。しかし、本開示において、筐体は、六面体に限定されず、それ以上の面数を有する他面体であってもよい。その場合においても、上記各実施形態同様、回転軸心に平行である壁部に、当該壁部を歪曲させることにより形成された波形構造部を設ければよい。
【００５６】
上記各実施形態では、発熱体は蛍光体ホイール３６０である。しかし、本開示において、発熱体は、回転軸心ＡＸを中心として回転する発熱体であればどのようなものでもよい。
【００５７】
以上のように、本開示における技術の例示として、実施の形態を説明した。そのために、添付図面および詳細な説明を提供した。
【００５８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５９】
また、上述の実施の形態は、本開示における技術を例示するためのものであるから、請求の範囲またはその均等の範囲において種々の変更、置き換え、付加、省略などを行うことができる。
【産業上の利用可能性】
【００６０】
本開示は、蛍光体ホイール等の回転する発熱体を有する装置において広く利用可能である。
【符号の説明】
【００６１】
１００    プロジェクタ装置
６１０    筐体
２１０    制御部
３００    光源部
３６０    蛍光体ホイール
３６１    回転軸
４００    画像生成部
５００    投影光学系
６００    蛍光体ホイール装置
６１０    筐体
６１０ａ    波形構造部
６１０Ｌ    左側壁部
６１０Ｒ    右側壁部
６１０Ｕ    上壁部
６１０Ｄ    下壁部
６１０Ｆ    前壁部
６１０Ｂ    後壁部
６２０    モータ
ＡＸ    回転軸心
Ｄｒ    回転方向
Ｄｘ    所定角度
Ｒ１    領域
Ｒ２    領域
Ｗ    旋回流（風）
【手続補正２】
【補正対象書類名】特許請求の範囲
【補正対象項目名】全文
【補正方法】変更
【補正の内容】
【特許請求の範囲】
【請求項１】
回転軸心を中心として回転する発熱体を収容する筐体であって、
前記回転軸心に平行である壁部に、当該壁部を歪曲させることにより形成された波形構造部を有し、
前記波形構造部は、前記壁部のうち、前記回転体の周縁に対する接線を前記壁部側に延長した線と、前記壁部の基準面とがなす角度が、所定角度以上となる領域に設けられている、
筐体。
【請求項２】
前記波形構造部の波形が正弦波状波形である、
請求項１記載の筐体。
【請求項３】
前記波形構造部の波形が矩形波形である、
請求項１または２記載の筐体。
【請求項４】
前記波形構造部の波形が台形波形である、
請求項１記載の筐体。
【請求項５】
前記発熱体は、受光した光を他の波長の光に変換して出力する蛍光体ホイールである、請求項１から請求項４のいずれか１項に記載の筐体。
【請求項６】
筐体と蛍光体ホイールとを有する蛍光体ホイール装置であって、
筐体は、回転軸心を中心として回転する発熱体を収容し、回転軸心に平行である壁部に、当該壁部を歪曲させることにより形成された波形構造部を有し、
前記発熱体は、受光した光を他の波長の光に変換して出力する蛍光体ホイールである、
蛍光体ホイール装置。
【請求項７】
光源から出力された光を蛍光体ホイール装置を介して出力する投影装置であって、
蛍光体ホイール装置は、筐体と蛍光体ホイールとを有し、
筐体は、回転軸心を中心として回転する発熱体を収容し、回転軸心に平行である壁部に、当該壁部を歪曲させることにより形成された波形構造部を有し、
前記発熱体は、受光した光を他の波長の光に変換して出力する蛍光体ホイールである、
投影装置。
【手続補正３】
【補正対象書類名】図面
【補正対象項目名】全図
【補正方法】変更
【補正の内容】
【図１】
2016147226.tif 000010
【図２】
2016147226.tif 000011
【図３Ａ】
2016147226.tif 000012
【図３Ｂ】
2016147226.tif 000013
【図４】
2016147226.tif 000014
【図５】
2016147226.tif 000015
【図６】
2016147226.tif 000016
【国際調査報告】
2016147226.tif 000017
2016147226.tif 000018
2016147226.tif 000019
2016147226.tif 000020